(57)【要約】【課題】磁気情報記録媒体（磁気券）の読取り，書込みを可能な限り行えるようにする。【解決手段】磁気情報記録媒体を磁気ヘッドに押圧する手段として、回転する無端ベルトとピンチローラとを設け、これらを択一的に使用する。【選択図】　　　図１
2004102777.tif 000002
【特許請求の範囲】
【請求項１】
磁気情報記録媒体を磁気ヘッドに押圧する手段として、回転する無端ベルトとピンチローラとを設け、これらを択一的に使用することを特徴とする磁気ヘッド装置。
【請求項２】
請求項１に記載の磁気ヘッド装置において、無端ベルト及びピンチローラは、回転する取付板に設けられていることを特徴とする磁気ヘッド装置。
【請求項３】
請求項２に記載の磁気ヘッド装置において、取付板の回転は、無端ベルトのベルトを支持する一つのローラの回転軸を中心に行われることを特徴とする磁気ヘッド装置。
【請求項４】
請求項１〜３のいずれかに記載の磁気ヘッド装置において、ピンチローラは、無端ベルトの使用時の読取不良又は書込不良が発生したときに使用されるものであることを特徴とする磁気ヘッド装置。
【発明の詳細な説明】
【０００１】
【発明の属する技術分野】
本発明は、自動改札機等の磁気情報記録媒体を処理する処理機に設けられる磁気ヘッド装置に関する。
【０００２】
本出願人は、特開２００２−７９６８号公報において、従来のピンチローラに代えて回転する無端ベルトで磁気券からなる乗車券のような磁気情報記録媒体を磁気ヘッドに押圧できるようにした磁気ヘッド装置を提案している。
【０００３】
この提案に係る磁気ヘッド装置は、磁気情報記録媒体を回転する無端ベルトで押圧できるので、その押圧状態は面となり、情報記録媒体の磁気ヘッドに対する押圧状態が安定し、読取処理や書込処理を良好に行わせることができるとともに、磁気ヘッドの摩耗が少なく、したがって、磁気ヘッドの寿命を長くできるという特長がある。
【０００４】
【発明が解決しようとする課題】
しかしながら、上記提案に係る磁気ヘッド装置は、読取処理及び書込処理が良好にできるとともに、磁気ヘッドの寿命を延ばすことができるという特長を有しているが、磁気情報記録媒体が折曲げられたような異常な磁気情報記録媒体のときは、磁気ヘッドに対する押圧力が不足する欠点があった。
【０００５】
そこで、本発明は、折曲げられたような異常な磁気情報記録媒体であっても、読取処理及び書込処理を行えるようにした磁気ヘッド装置を提供することを目的とする。
【０００６】
【課題を解決するための手段】
本発明に係る磁気ヘッド装置は、上記目的を達成するために、請求項１に記載の発明は、磁気情報記録媒体を磁気ヘッドに押圧する手段として、回転する無端ベルトとピンチローラとを設け、これらを択一的に使用することを特徴としている。
本発明の請求項２に記載の磁気ヘッド装置は、無端ベルト及びピンチローラは、回転する取付板に設けられていることを特徴としている。
本発明の請求項３に記載の磁気ヘッド装置は、取付板の回転は、無端ベルトのベルトを支持する一つのローラの回転軸を中心に行われることを特徴としている。
本発明の請求項４に記載の磁気ヘッド装置は、ピンチローラは、無端ベルトの使用時の読取不良又は書込不良が発生したときに使用されるものであることを特徴としている。
【０００７】
【発明の実施の形態】
以下、本発明の実施の形態を図面に基づいて説明する。図１（ａ）は、一実施の形態に係る磁気ヘッド装置の正面図であって、図中、Ｈは、磁気ヘッドである。
【０００８】
図中、１は、磁気ヘッドＨに対向して設けられた取付板であって、その取付板１は、後述する軸Ｒ１　′を中心にして回動できるように構成されている。そして、この取付板には、所定の三角形の頂点位置に設けられたローラＲ１　〜Ｒ３　とピンチローラＰとが設けられている。
【０００９】
上記ローラＲ１　〜Ｒ３　には、無端ベルトＢが掛け渡されている。ローラＲ１　〜Ｒ３　及び無端ベルトＢと磁気ヘッドＨとの位置関係は、取付板１の回転中心位置ともなる軸Ｒ１　′を有するローラＲ１　を三角形の上部の頂点位置としたとき、その三角形の残りの２つの頂点にそれぞれ位置するローラＲ２　，Ｒ３　は、磁気ヘッドＨを中間に挾んだ位置となり、それらローラＲ２　，Ｒ３　間に掛け渡されている無端ベルトＢが磁気ヘッドＨの頂部に所定の押圧力で当接するように配置されている（図１（ａ）参照）。また、ピンチローラＰは、軸Ｒ１　′を中心に１８０°回転したときに、そのピンチローラＲが磁気ヘッドＨの頂部に所定の押圧力で当接するように配置されている（図１（ｂ）参照）。
【００１０】
上記構成からなる磁気ヘッド装置は、通常、図１（ａ）に示される状態で、つまり、図示しない磁気情報記録媒体は、無端ベルトＢで磁気ヘッドＨに押圧する形で読取処理又は書込処理が行われる。すなわち、図示しない磁気情報記録媒体が図示しない搬送路を介して鎖線で示される矢印方向から磁気ヘッドＨと無端ベルトＢとの間に搬送されてくると、無端ベルトＢは、磁気情報記録媒体の搬送力で共回りをしながらその磁気情報記録媒体を磁気ヘッドＨに押圧するように作用する。したがって、磁気ヘッドＨは、磁気情報記録媒体に記録されているデータを読取ることができ、又は、その磁気情報記録媒体に所定のデータを書込むことができる。
【００１１】
ところが、磁気情報記録媒体が折曲げられているなどして無端ベルトＢを用いた読取処理又は書込処理が不調になることがある。この場合は、取付板１を固定している図示しないソレノイド等からなる保持機構の固定が解除される。また、磁気ヘッドＨは、図示しない移動機構により取付板１の回転に支障を来さない位置まで後退させられる。なお、この後退は、取付板１側で行うようにしてもよい。
【００１２】
磁気ヘッドＨが所定位置まで後退すると、取付板１は、図示しないソレノイド等からなる回転機構により図１（ｂ）に示されるように１８０°回転させられる。次いで、取付板１は、して保持機構により保持される。その後、磁気ヘッドＨは、移動機構により元の位置に戻される。これによりピンチローラＰは、磁気ヘッドＨの頂部に所定の押圧力で当接される。
【００１３】
磁気ヘッドＨにピンチローラＰが当接している状態で磁気情報記録媒体が搬送路により鎖線で示される方向から搬送されてくると、その磁気情報記録媒体は上述の無端ベルトＢが面接触の形で磁気ヘッドＨに面により押圧されて接触するのと異なり、点接触の形で接触するので、折れ曲がっているような異常な磁気情報記録媒体であっても読取処理又は書込処理を行うことができ、磁気情報記録媒体を救済することができる。
【００１４】
ピンチローラＰを用いた処理が終了した後は、再び、取付板１が１８０°回転して無端ベルトＢを用いた処理とされる。なお、取付板１の回転及び磁気ヘッドＨの移動は、自動で行われる。
【００１５】
本発明に係る磁気ヘッド装置は、自動改札機やその他の駅務機器に組込まれて使用されるほか、カード処理機等の磁気情報記録媒体を処理するための各種処理機に組込むことができる。
【００１６】
【発明の効果】
本発明の請求項１に記載の磁気ヘッド装置は、磁気情報記録媒体を磁気ヘッドに押圧する手段として、回転する無端ベルトとピンチローラとを設け、これらを択一的に使用するので、磁気情報記録媒体を無端ベルト及びピンチローラの両方を用いて処理することができるから、書込不良又は読取不良を可能な限り少なくすることができる。
本発明の請求項２に記載の磁気ヘッド装置は、無端ベルト及びピンチローラは、回転する取付板に設けられているので、無端ベルト又はピンチローラを簡単に選択することができる。
本発明の請求項３に記載の磁気ヘッド装置は、取付板の回転は、無端ベルトのベルトを支持する一つのローラの回転軸を中心に行われるので、取付板の回転を簡単に行うことができる。
本発明の請求項４に記載の磁気ヘッド装置は、ピンチローラは、無端ベルトの使用時の読取不良又は書込不良が発生したときに使用されるので、書込不良又は読取不良を救済することができる。
【図面の簡単な説明】
【図１】（ａ）は、本発明の一実施の形態に係る磁気ヘッド装置の正面図、（ｂ）は、取付板を１８０°回転させたときの正面図である。
【符号の説明】
Ｈ　磁気ヘッド
１　取付板
Ｒ１　〜Ｒ３　　ローラ
Ｂ　無端ベルト
Ｐ　ピンチローラ
Ｒ１　′　軸
【図１】
2004102777.tif 000003